(57)【要約】【課題】樹脂成形品の所定箇所に締結部材を埋設することができる樹脂成形品の製造方法を提供する。【解決手段】インサートナット１５が埋設される箇所に係合孔２６が形成された上金型２１と、下金型２２とから成る成型金型２０を用意する工程と、上金型２１の係合孔２６に固定プラグ２７を係合し、固定プラグ２７にインサートナット１５を取り付ける工程と、上金型２１と下金型２２とを接近させること形成されるキャビティ２５の内部で樹脂を成形する工程と、成型金型２０からインサートナット１５が取り付けられた状態の樹脂成形品を前記成型金型から取り出す工程と、樹脂成形品から固定プラグ２７を離脱させる工程と、を具備する。【選択図】図４
2020015201.tif 000002
【特許請求の範囲】
【請求項１】
締結部材が埋設された樹脂成形品を成型する樹脂成形品の製造方法に於いて、
前記締結部材が埋設される箇所に係合部が形成された第１金型と、第２金型と、から成る成型金型を用意する工程と、
前記第１金型の前記係合部に、固定プラグを介して前記締結部材を取り付ける工程と、
前記第１金型と前記第２金型とを接近させることで形成されるキャビティの内部で樹脂を成形する工程と、
前記成型金型から、前記固定プラグが取り付けられた状態の前記樹脂成形品を取り出す工程と、
前記樹脂成形品から前記固定プラグを離脱させる工程と、を具備することを特徴とする樹脂成形品の製造方法。
【請求項２】
前記締結部材はインサートナットであり、前記インサートナットは螺合構造により前記固定プラグに固定されることを特徴とする請求項１に記載の樹脂成形品の製造方法。
【請求項３】
前記係合部は、前記第１金型に形成された係合孔であり、
前記固定プラグは、前記係合孔に挿入されることで、前記第１金型に固定されることを特徴とする請求項１または請求項２に記載の樹脂成形品の製造方法。
【請求項４】
前記固定プラグと前記係合孔との間にＯリングを配設することを特徴とする請求項３に記載の樹脂成形品の製造方法。
【請求項５】
前記固定プラグの外周面を全周的に窪ませることで凹状部を形成し、
前記固定プラグの前記凹状部に前記Ｏリングを係合させることを特徴とする請求項４に記載の樹脂成形品の製造方法。
【請求項６】
前記固定プラグの端部にフランジ部を形成し、
前記成型する工程では、前記固定プラグの前記フランジ部を、前記第１金型の内面に当接させることを特徴とする請求項１から請求項５の何れかに記載の樹脂成形品の製造方法。
【請求項７】
前記樹脂成形品は、繊維強化複合材部品であることを特徴とする請求項１から請求項６の何れかに記載の樹脂成形品の製造方法。
【請求項８】
前記固定プラグの近傍にマグネットを配設することを特徴とする請求項１から請求項７の何れかに記載の樹脂成形品の製造方法。
【発明の詳細な説明】
【技術分野】
【０００１】
本発明は、樹脂成形品の製造方法に関し、特に、成形用の金型を用いて樹脂成形品を成形する樹脂成形品の製造方法に関する。
【背景技術】
【０００２】
近年、繊維強化複合材部品の製造方法として、レジントランスファモールディング（ＲＴＭ）法等が用いられている。これらの方法では、複数の強化繊維シートを積層した積層体を金型内にセットし、型締めした後、未硬化の樹脂を注入し、積層体に含浸させて硬化させている。この方法によれば、樹脂が含浸されていないドライ基材からなる積層体を賦形するため、比較的複雑な形状の成形品を製造することが可能である。
【０００３】
また、繊維強化複合材部品の製造方法として、ＰＣＭ（Ｐｒｅｐｒｅｇ  Ｃｏｍｐｒｅｓｓｉｏｎ  Ｍｏｌｄｉｎｇ）が採用される場合もある。この方法では、強化繊維シートに樹脂を含浸させたプリプレグを成形金型のキャビティに配置し、プリプレグの強化繊維シートに高温・高圧を付与することで、繊維強化複合材部品を製造している。
【０００４】
しかしながら、樹脂を含浸させる前の強化繊維シートは、搬送中に積層された強化繊維シートがバラバラになるなど、取扱性が悪い。そのため、通常、樹脂を含浸させる本賦形の前に、予備賦形工程を設定している場合がある（特許文献１）。
【０００５】
予備賦形工程では、予備賦形用の金型に一枚の強化繊維シートをセットし、その表面にパウダー状の固着材を散布し、その上に次の強化繊維シートを積層する。これらを順次繰り返して強化繊維シートの積層体を形成し、その後、予備賦形型によって型締めを行う。これにより、強化繊維シートどうしを固着するとともに、その後の本賦形に適した形状に予備賦形されたプリフォーム体を形成している。本賦形工程では、このプリフォーム体を本賦形用の金型にセットすることにより、位置決めを容易にし、本賦形時の位置ずれを防止している。
【０００６】
また、射出成形を行う際に、樹脂成形品にインサートナットを埋設する製造方法も開発されている（特許文献２）。ここでは、磁力を用いて金型の内壁にインサートナットを吸着させ、この状態で、樹脂成型体をインサートナットと共に射出成形している。このようにすることで、インサートナットが埋設された樹脂成型体を成型することができる。
【先行技術文献】
【特許文献】
【０００７】
【特許文献１】特開２００８−１７９１３０号公報
【特許文献２】特開平６−６３９８７号公報
【発明の概要】
【発明が解決しようとする課題】
【０００８】
しかしながら、特許文献２に記載された樹脂成形方法では、インサートナットを磁力で金型に接着したとしても、樹脂成形時の金型内部圧力が大きくなれば、インサートナットが所定位置からずれてしまう課題があった。
【０００９】
また、インサートナットを金型の内壁に磁力で密着させたとしても、成形時にインサートナットと金型内壁との間に樹脂が進入してしまい、インサートナットの孔部に樹脂が入り込んでしまう恐れがあった。
【００１０】
本願発明は、上記した課題を鑑みてなされたものであり、本発明の目的は、樹脂成形品の所定箇所に締結部材を埋設することができる樹脂成形品の製造方法を提供することにある。
【課題を解決するための手段】
【００１１】
本発明は、締結部材が埋設された樹脂成形品を成型する樹脂成形品の製造方法に於いて、前記締結部材が埋設される箇所に係合部が形成された第１金型と、第２金型と、から成る成型金型を用意する工程と、前記第１金型の前記係合部に、固定プラグを介して前記締結部材を取り付ける工程と、前記第１金型と前記第２金型とを接近させることで形成されるキャビティの内部で樹脂を成形する工程と、前記成型金型から、前記固定プラグが取り付けられた状態の前記樹脂成形品を取り出す工程と、前記樹脂成形品から前記固定プラグを離脱させる工程と、を具備することを特徴とする。
【００１２】
また、本発明の樹脂成形品の製造方法では、前記締結部材はインサートナットであり、前記インサートナットは螺合構造により前記固定プラグに固定されることを特徴とする。
【００１３】
また、本発明の樹脂成形品の製造方法では、前記係合部は、前記第１金型に形成された係合孔であり、前記固定プラグは、前記係合孔に挿入されることで、前記第１金型に固定されることを特徴とする。
【００１４】
また、本発明の樹脂成形品の製造方法では、前記固定プラグと前記係合孔との間にＯリングを配設することを特徴とする。
【００１５】
また、本発明の樹脂成形品の製造方法では、前記固定プラグの外周面を全周的に窪ませることで凹状部を形成し、前記固定プラグの前記凹状部に前記Ｏリングを係合させることを特徴とする。
【００１６】
また、本発明の樹脂成形品の製造方法では、前記固定プラグの端部にフランジ部を形成し、前記成型する工程では、前記固定プラグの前記フランジ部を、前記第１金型の内面に当接させることを特徴とする。
【００１７】
また、本発明の樹脂成形品の製造方法では、前記樹脂成形品は、繊維強化複合材部品であることを特徴とする。
【００１８】
また、本発明の樹脂成形品の製造方法では、前記固定プラグの近傍にマグネットを配設することを特徴とする。
【発明の効果】
【００１９】
本発明は、締結部材が埋設された樹脂成形品を成型する樹脂成形品の製造方法に於いて、前記締結部材が埋設される箇所に係合部が形成された第１金型と、第２金型と、から成る成型金型を用意する工程と、前記第１金型の前記係合部に、固定プラグを介して前記締結部材を取り付ける工程と、前記第１金型と前記第２金型とを接近させることで形成されるキャビティの内部で樹脂を成形する工程と、前記成型金型から、前記固定プラグが取り付けられた状態の前記樹脂成形品を取り出す工程と、前記樹脂成形品から前記固定プラグを離脱させる工程と、を具備することを特徴とする。従って、本発明の樹脂成形品の製造方法では、固定プラグでキャビティの内部に於ける締結部材の位置を決定し、更に、離型工程では固定プラグを締結部材と共に成型金型から取り出すので、樹脂成形品に安定して締結部材を埋設することができる。
【００２０】
また、本発明の樹脂成形品の製造方法では、前記締結部材はインサートナットであり、前記インサートナットは螺合構造により前記固定プラグに固定されることを特徴とする。従って、本発明の樹脂成形品の製造方法では、インサートナットを安定的に樹脂成形品に埋設することができる。
【００２１】
また、本発明の樹脂成形品の製造方法では、前記係合部は、前記第１金型に形成された係合孔であり、前記固定プラグは、前記係合孔に挿入されることで、前記第１金型に固定されることを特徴とする。従って、本発明の樹脂成形品の製造方法によれば、挿入孔に固定プラグを挿入する簡易な構成で、樹脂成形品における締結部材の位置を正確に規定することができる。
【００２２】
また、本発明の樹脂成形品の製造方法では、前記固定プラグと前記係合孔との間にＯリングを配設することを特徴とする。従って、本発明の樹脂成形品の製造方法によれば、固定プラグと係合孔との間にＯリングを配設することで、第１金型の係合孔に固定プラグを配設することができる。また、離脱する工程に於いては、固定プラグを係合孔から容易に離脱させることができる。
【００２３】
また、本発明の樹脂成形品の製造方法では、前記固定プラグの外周面を全周的に窪ませることで凹状部を形成し、前記固定プラグの前記凹状部に前記Ｏリングを係合させることを特徴とする。従って、本発明の樹脂成形品の製造方法によれば、固定プラグの凹状部にＯリングを係合させることで、固定プラグとＯリングとの係合を強化することができる。よって、成形工程に於いて、Ｏリングにより、第１金型の係合部に固定プラグを強固に係合し、固定プラグの不用意な移動や離脱を防止することができる。また、離脱工程に於いて固定プラグと共にＯリングを成型金型から容易に取り出すことができる。
【００２４】
また、本発明の樹脂成形品の製造方法では、前記固定プラグの端部にフランジ部を形成し、前記成型する工程では、前記固定プラグの前記フランジ部を、前記第１金型の内面に当接させることを特徴とする。従って、本発明の樹脂成形品の製造方法によれば、固定プラグのフランジ部を、第１金型の内面に当接させることで、樹脂が固定プラグと係合部と間に進入することを防止することができる。
【００２５】
また、本発明の樹脂成形品の製造方法では、前記樹脂成形品は、繊維強化複合材部品であることを特徴とする。従って、本発明の樹脂成形品の製造方法によれば、繊維強化複合材部品の繊維が係合部と固定プラグとの間に進入すること抑制し、固定プラグと係合部との間隙に樹脂が進入することを抑止することができる。
【００２６】
また、本発明の樹脂成形品の製造方法では、前記固定プラグの近傍にマグネットを配設することを特徴とする。従って、本発明の樹脂成形品の製造方法によれば、マグネットの磁力で、固定プラグを第１金型に仮止めすることができる。
【図面の簡単な説明】
【００２７】
【図１】本発明の樹脂成形品の製造方法により製造される樹脂成形品を示す図であり、（Ａ）は樹脂成形品を示す斜視図であり、（Ｂ）は（Ａ）の切断面線Ａ−Ａに於ける断面図であり、（Ｃ）は取付部を拡大して示す斜視図である。
【図２】本発明の樹脂成形品の製造方法に用いられる成型金型を示す斜視図である。
【図３】本発明の樹脂成形品の製造方法に用いられる上金型を示す斜視図である。
【図４】（Ａ）は本発明の樹脂成形品の製造方法に用いられる係合治具およびインサートナットを離して示す斜視図であり、（Ｂ）はインサートナットを示す斜視図である。
【図５】本発明の樹脂成形品の製造方法に用いられる係合治具およびインサートナットが組み合わせた状態を示す斜視図である。
【図６】本発明の樹脂成形品の製造方法を示す図であり、（Ａ）は成型金型を示す断面図であり、（Ｂ）は（Ａ）の要所を拡大して示す拡大断面図である。
【図７】本発明の樹脂成形品の製造方法を示す図であり、（Ａ）は成型金型を示す断面図であり、（Ｂ）は（Ａ）の要所を拡大して示す拡大断面図である。
【図８】本発明の樹脂成形品の製造方法を示す図であり、（Ａ）は成型金型を示す断面図であり、（Ｂ）は（Ａ）の要所を拡大して示す拡大断面図である。
【図９】本発明の樹脂成形品の製造方法を示す図であり、（Ａ）は成型金型を示す断面図であり、（Ｂ）は（Ａ）の要所を拡大して示す拡大断面図である。
【図１０】本発明の樹脂成形品の製造方法を示す図であり、（Ａ）は取り出した樹脂成形品を示し、（Ｂ）は（Ａ）の要所を拡大して示す拡大断面図である。
【図１１】本発明の樹脂成形品の製造方法を示す図であり、（Ａ）および（Ｂ）は、要所を拡大して示す拡大断面図である。
【発明を実施するための形態】
【００２８】
以下に図を参照して、本実施の形態に係る樹脂成形品の製造方法を説明する。以下の説明では、同一の部材には原則的に同一の符号を付し、繰り返しの説明は省略する。  
【００２９】
図１を参照して、本実施の形態に係る製造方法により製造される樹脂成形品である繊維強化複合材部品１０を説明する。図１（Ａ）は繊維強化複合材部品１０を上方から見た斜視図であり、図１（Ｂ）は図１（Ａ）の切断面線Ａ−Ａに於ける断面図であり、図１（Ｃ）は取付部１６を拡大して示す斜視図である。
【００３０】
図１（Ａ）を参照して、繊維強化複合材部品１０は、例えばＣＦＲＰ（Ｃａｒｂｏｎ  Ｆｉｂｅｒ  Ｒｅｉｎｆｏｒｃｅｄ  Ｐｌａｓｔｉｃｓ）である。繊維強化複合材部品１０は、一例として略トレー形状を呈している。具体的には、繊維強化複合材部品１０は、上方から見て略四角形形状の底面部１３と、底面部１３の周縁部から上方に向かって立設された枠状の側面部１４と、を有している。ここで、本実施形態では、繊維を含まない樹脂成形体を製造することも可能である。
【００３１】
図１（Ｂ）を参照して、繊維強化複合材部品１０は、強化繊維シート１１と、強化繊維シート１１に含浸されて硬化されている樹脂１２とから構成されている。
【００３２】
強化繊維シート１１を構成する強化繊維としては、例えば、炭素繊維やガラス繊維、アラミド繊維等を用いることができる。強化繊維シート１１の形態として、織物や編物等のファブリック材、ＵＤ材（単一方向材）を採用することができる。強化繊維シート１１は、シート状の強化繊維が複数積層された積層体として構成されている。
【００３３】
樹脂１２としては、エポキシ樹脂等の熱硬化型樹脂、または、ポリアミド（ＰＡ）やポリプロピレン（ＰＰ）等の熱可塑性樹脂を採用することができる。樹脂１２は、強化繊維シート１１に含浸された状態、即ち強化繊維シート１１に入り込んだ状態で硬化されている。
【００３４】
図１（Ｃ）を参照して、上記した底面部１３を部分的に上方に向かって部分的に隆起させることで取付部１６が形成されている。取付部１６は、略円筒状に上方に向かって突出している。取付部１６は、繊維強化複合材部品１０の他の部位と同様に、樹脂１２と強化繊維シート１１との複合材料から成る。取付部１６の上面は略平坦面とされている。
【００３５】
取付部１６の上面には、締結部材としてインサートナット１５が埋設されている。インサートナット１５は、繊維強化複合材部品１０と他の部材とを締結するための部材であり、その内部にはネジ溝が形成されている。また、インサートナット１５の上面は、取付部１６の上面と同一平面上に配置されている。
【００３６】
後述するように、本実施形態に係る樹脂成形品の製造方法によれば、インサートナット１５の内部空間に樹脂成分が流入してしまうことを防止しているため、インサートナット１５のネジ穴が樹脂で不用意に埋まってしまうことを防止することができる。
【００３７】
図２は、繊維強化複合材部品１０の製造方法に用いられる成型金型２０を上方から見た斜視図である。ここでは、上金型２１と下金型２２とを上下方向に分離して示している。
【００３８】
成型金型２０は、樹脂成形用の金型であり、上金型２１（第１金型）および下金型２２（第２金型）と、を有する。成形工程に於いては、上金型２１が下降して下金型２２に接近することで、上金型２１と下金型２２との間隙としてキャビティ２５（図８（Ａ））が形成される。また、上金型２１を上昇させて下金型２２から離すことで、樹脂成形品である繊維強化複合材部品１０を成型金型２０から取り出すことができる。また、上金型２１には係合孔２６が形成されている。係合孔２６は、上記したインサートナット１５を固定する治具を係合するための係合部である。
【００３９】
図３に上記した上金型２１を示す。図３は上金型２１を下方から見た斜視図である。この図を参照して、上金型２１には係合孔２６が形成されている。係合孔２６は、上金型２１を厚み方向に貫通する貫通孔である。
【００４０】
図４を参照して、成形工程に於いて取付部１６を係合する係合治具３０の構成等を説明する。図４（Ａ）は、係合治具３０およびインサートナット１５を下方から見た斜視図であり、図４（Ｂ）は、インサートナット１５を上方から見た斜視図である。
【００４１】
図４（Ａ）を参照して、係合治具３０は、固定プラグ２７と、Ｏリング２８と、固定ボルト３７とを有する。
【００４２】
固定プラグ２７は、上記した係合孔２６の内側端部に挿入される治具であり、筒状部３３と、フランジ部３４と、から構成されている。固定プラグ２７の材料としては、所定形状に成形された金属、シリコン、樹脂、木材等を採用することができる。筒状部３３の上下方向中間部を内側に向かって窪ませることで凹状部２９が形成されている。凹状部２９は、筒状部３３の周囲に沿って、帯状に且つ全周的に形成されている。フランジ部３４は、筒状部３３の下端から半径方向外側に向かって広がる部位である。フランジ部３４の下面および上面は平坦に成形されている。フランジ部３４は、上記した上金型２１の係合孔２６の周囲に面的に接する部位である。また、固定プラグ２７を中心軸に沿って貫通する孔部３８が形成されている。孔部３８は、固定ボルト３７が挿通可能な大きさに形成されている。
【００４３】
Ｏリング２８は、リング状に形成されたゴムなどの弾性体から成り、固定プラグ２７の凹状部２９に嵌め込まれる。Ｏリング２８は、上記した上金型２１の係合孔２６に、係合治具３０を係合させるための部材である。
【００４４】
固定ボルト３７は、軸部３２と頭部３１とから成り、所定形状に成形された鋼材から成る。軸部３２にはネジ山が形成されている。頭部３１の上面には、ここでは図示しないが、六角レンチなどの工具を嵌合させることができる孔部が形成されている。
【００４５】
インサートナット１５は、所定形状に成形された鋼材、プラスチック等から成り、筒状部３５と、フランジ部３６とを有する。筒状部３５は略円筒状に形成されている。フランジ部３６は、筒状部３５の上端部を半径方向外側に広げることで形成されている。フランジ部３６の上面は平坦面とされている。成型時に於いては、インサートナット１５のフランジ部３６の上面は、固定プラグ２７のフランジ部３４の下面に密着する。
【００４６】
図４（Ｂ）を参照して、インサートナット１５には、孔部３９が形成されている。孔部３９の内面には、上記した固定ボルト３７に形成されるネジ山と螺合可能なネジ溝が形成されている。ここでは、孔部３９は有底孔であるが、孔部３９はインサートナット１５を貫通する無底孔であっても良い。
【００４７】
図５に、インサートナット１５が係合治具３０に組み込まれた状況を示す斜視図である。ここでは、インサートナット１５の内部に形成されたネジ溝に、固定ボルト３７に形成されたネジ山が螺入されている。このようにすることで、固定プラグ２７のフランジ部３４の下面と、インサートナット１５のフランジ部３６の上面とを密着させることができる。従って、後述する樹脂成形工程に於いて、フランジ部３６とフランジ部３４との間に樹脂が進入せず、インサートナット１５の内部に樹脂が進入してしまうことを防止することができる。
【００４８】
次に、図６以降の図を参照して、図１に構成を示した繊維強化複合材部品１０の製造方法を説明する。
【００４９】
図６を参照して、繊維強化複合材部品１０の製造方法に用いる成型金型２０の断面を説明する。図６（Ａ）は図２の切断面線Ｂ−Ｂに於ける成型金型２０の断面であり、図６（Ｂ）は図６（Ａ）の点線の円で囲んだ部分を拡大して示す拡大断面図である。
【００５０】
図６（Ａ）を参照して、先ず、上金型２１と下金型２２とから成る成型金型２０を用意する。下金型２２の下部には凸状部２３が形成されており、下金型２２の上部には凹状部２４が形成されている。上金型２１を上下方向に貫通する係合孔２６が形成されており、係合孔２６の下端を拡径することで取付部形成部４０が形成されている。
【００５１】
上金型２１を下降させ、上金型２１の凸状部２３を下金型２２の凹状部２４に挿入することで、凸状部２３と凹状部２４との間に後述するキャビティ２５を形成する。
【００５２】
図６（Ｂ）を参照して、取付部形成部４０は、図１（Ｃ）に示した取付部１６を形成するための部位である。取付部形成部４０は、下方に向かってその幅が徐々に広くなるテーパ形状とされている。また、取付部形成部４０の上端には、平坦なフランジ受部４１が形成されている。フランジ受部４１の大きさは、図４（Ａ）に示した固定プラグ２７のフランジ部３４と同等とされている。このようにすることで、後述するように、固定プラグ２７のフランジ部３４の上面を、フランジ受部４１の上面に当接させ、成形工程に於いて両者の間隙に繊維や樹脂が入り込むことを防止することができる。
【００５３】
図７を参照して、次に、成型金型２０に、インサートナット１５が取り付けられた係合治具３０を嵌め込む。図７（Ａ）は本工程を示す断面図であり、図７（Ｂ）は図７（Ａ）の点線で囲まれた部分を拡大して示す拡大断面図である。
【００５４】
図７（Ａ）を参照して、成型金型２０の上金型２１と下金型２２とが離間している状態に於いて、成型金型２０の取付部形成部４０に係合治具３０を嵌め込む。
【００５５】
図７（Ｂ）を参照して、上金型２１の取付部形成部４０に係合治具３０を嵌め込む際には、係合治具３０の固定プラグ２７を係合孔２６に挿入する。上記したように、固定プラグ２７には、円環状に成形されたゴムから成るＯリング２８が備えられている。よって、下方から固定プラグ２７を係合孔２６に挿入すると、係合孔２６の内壁と固定プラグ２７の筒状部３３の外壁とは、圧縮力により変形したＯリング２８を介して接触している。よって、Ｏリング２８の大きな摩擦力で、固定プラグ２７は係合孔２６の内壁に密着する。よって、係合治具３０を係合孔２６に挿入したら、重力の作用により係合治具３０が係合孔２６から離脱することはない。
【００５６】
また、固定プラグ２７のフランジ部３４の上面は、上金型２１のフランジ受部４１の下面に密着している。このようにすることで、樹脂成形の工程に於いて、フランジ受部４１とフランジ部３４との間に樹脂が侵入することを防ぎ、筒状部３５の内部に樹脂が侵入することを防止できる。
【００５７】
上記のように係合治具３０を配置することで、インサートナット１５は取付部形成部４０に配置される。
【００５８】
図８を参照して、次に、強化繊維シート１１を成型金型２０に配置する。図８（Ａ）は本工程を示す断面図であり、図８（Ｂ）は図８（Ａ）の点線で囲まれた部分を拡大して示す拡大断面図である。
【００５９】
図８（Ａ）および図８（Ｂ）を参照して、下金型２２の凹状部２４の上面に、強化繊維シート１１を配置し、上金型２１を下降させることで、キャビティ２５の内部に強化繊維シート１１を配置させる。ここで、強化繊維シート１１は、樹脂１２が含浸されたプリプレグの状態で用意されても良い。
【００６０】
図８（Ｂ）を参照して、強化繊維シート１１は、取付部形成部４０にも配置される。これは、取付部形成部４０に形成される取付部１６（図１（Ｃ））の強度を高めるためである。上記したように、インサートナット１５のフランジ部３６と、固定プラグ２７のフランジ部３４とは密着しているので、強化繊維シート１１を構成する繊維が、インサートナット１５と固定プラグ２７との間に進入することはない。同様に、上金型２１のフランジ受部４１と、固定プラグ２７のフランジ部３４とは密着しているので、フランジ受部４１とフランジ部３４との間に強化繊維シート１１を構成する繊維が進入することもない。
【００６１】
図９を参照して、樹脂形成を行う。図９（Ａ）は本工程を示す断面図であり、図９（Ｂ）は図９（Ａ）の点線で囲まれた部分を拡大して示す拡大断面図である。
【００６２】
図９（Ａ）および図９（Ｂ）を参照して、上金型２１および下金型２２を加熱した状態で、樹脂成形を行う。強化繊維シート１１がプリプレグの場合は、上金型２１および下金型２２で強化繊維シート１１を加熱成形することで、強化繊維シート１１に含浸された樹脂１２を硬化させる。一方、強化繊維シート１１のみをキャビティ２５に内蔵させ、その後に樹脂１２をキャビティ２５に注入しても良い。
【００６３】
図９（Ｂ）を参照して、本工程では、固定ボルト３７の締結力で、インサートナット１５のフランジ部３６と、固定プラグ２７のフランジ部３４とは密着しているので、樹脂１２が、インサートナット１５と固定プラグ２７との間に進入することはない。また、上金型２１のフランジ受部４１と、固定プラグ２７のフランジ部３４とが密着しているので、フランジ受部４１とフランジ部３４との間に樹脂１２が進入することもない。ここで、固定プラグ２７のフランジ部３４は、成型時の内圧により、上金型２１のフランジ受部４１に押しつけられている。
【００６４】
本工程が終了した後は、上金型２１を上昇させることで、上金型２１と下金型２２とを離す。
【００６５】
図１０（Ａ）に、図９（Ａ）に示した成型金型２０から離型した繊維強化複合材部品１０を示す。図１０（Ａ）は、繊維強化複合材部品１０の断面図である。図１０（Ａ）に示すように、上記した工程にて成型金型２０から繊維強化複合材部品１０を離型することで、底面部１３の上面に取付部１６が形成されている。
【００６６】
図１０（Ｂ）は取付部１６の近傍を示す断面図である。この図を参照して、取付部１６にはインサートナット１５が埋設されている。また、インサートナット１５には固定ボルト３７が螺入されているので、繊維強化複合材部品１０を上記した成型金型２０から離型すると、係合治具３０は繊維強化複合材部品１０と共に成型金型２０から外れる。この状態で、治工具を用いて固定ボルト３７を回転させることで、固定ボルト３７をインサートナット１５から離脱させる。
【００６７】
固定プラグ２７は、繊維強化複合材部品１０と共に上記した成型金型２０から取り出されるので、繊維強化複合材部品１０とは別に固定プラグ２７を成型金型２０から取り外す必要が無い。よって、固定プラグ２７を採用することにより離型工程が煩雑化することを抑制している。
【００６８】
更に、図４（Ｂ）に示したように、Ｏリング２８は固定プラグ２７の凹状部２９に取り付けられている。よって、Ｏリング２８も繊維強化複合材部品１０と共に取り出すことができ、Ｏリング２８が成型金型２０に残存することがない。このことから、繊維強化複合材部品１０とは別にＯリング２８を成型金型２０から取り外す必要が無い。よって、Ｏリング２８を採用することにより離型工程が煩雑化することを抑制している。
【００６９】
図１１（Ａ）は、上記した固定ボルト３７を離脱させた後の、取付部１６の近傍の断面図である。この図を参照して、固定プラグ２７は、取付部１６の上面に載置されている。
【００７０】
図１１（Ｂ）に、固定プラグ２７を離した後の断面図を示す。インサートナット１５は、取付部１６に埋設されている。また、インサートナット１５のフランジ部３６の上面は、取付部１６の上面と、同一平面上に配置されている。
【００７１】
ここで、上記したように、インサートナット１５のフランジ部３６の上面は、図１１（Ａ）に示した固定プラグ２７のフランジ部３４の下面に密着した状態で、上記した樹脂成形が行われている。このことから、インサートナット１５の内部には、図１０（Ｂ）等に示した樹脂１２や強化繊維シート１１が入り込むことがない。よって、インサートナット１５の内部は、異物の混入がない正常な状態とされている。
【００７２】
上記工程が終了した後は、繊維強化複合材部品１０を、構造体または筐体の一部として機器に組み込む。例えば、繊維強化複合材部品１０は、大型体重計の底部、自動車の部品を構成する部材となる。
【００７３】
以上、本発明の実施形態について説明したが、本発明は、これに限定されるものではなく、本発明の要旨を逸脱しない範囲で変更が可能である。
【００７４】
図１（Ｃ）を参照して、上記した実施の形態では、繊維強化複合材部品１０に埋設される締結部材としてインサートナット１５を採用したが、締結部材としてインサートボルトを採用することもできる。更には、繊維強化複合材部品１０に埋設される部材として、螺合構造を有するインサートプレートを採用することもできる。
【００７５】
図４（Ａ）を参照して、係合治具３０において固定ボルト３７と固定プラグ２７とは別部材として形成されていたが、固定プラグ２７と固定ボルト３７とを一体の部材として形成することもできる。しかしながら、上記のように、固定プラグ２７と固定ボルト３７とを別部品とすることで、インサートナット１５に応じた固定ボルト３７を採用することができ、係合治具３０の汎用性を向上することができる。
【００７６】
更に、図７（Ｂ）を参照して、上記形態では、固定プラグ２７の仮止めはＯリング２８で行ったが、Ｏリング２８の替わりにマグネットを用いることもできる。この場合は、係合孔２６の内部に於いて、強磁性体から成る固定プラグ２７の上方にマグネットを配置する。このようにすることで、マグネットの磁力が固定プラグ２７を引き寄せることで、固定プラグ２７を係合させることが出来る。また、成形が終了した後は、固定プラグ２７を容易に取り外すことができる。
【符号の説明】
【００７７】
１０   繊維強化複合材部品
１１   強化繊維シート
１２   樹脂
１３   底面部
１４   側面部
１５   インサートナット
１６   取付部
２０   成型金型
２１   上金型
２２   下金型
２３   凸状部
２４   凹状部
２５   キャビティ
２６   係合孔
２７   固定プラグ
２８   Ｏリング
２９   凹状部
３０   係合治具
３１   頭部
３２   軸部
３３   筒状部
３４   フランジ部
３５   筒状部
３６   フランジ部
３７   固定ボルト
３８   孔部
３９   孔部
４０   取付部形成部
４１   フランジ受部
【図１】
2020015201.tif 000003
【図２】
2020015201.tif 000004
【図３】
2020015201.tif 000005
【図４】
2020015201.tif 000006
【図５】
2020015201.tif 000007
【図６】
2020015201.tif 000008
【図７】
2020015201.tif 000009
【図８】
2020015201.tif 000010
【図９】
2020015201.tif 000011
【図１０】
2020015201.tif 000012
【図１１】
2020015201.tif 000013